(57)【要約】【課題】意匠性が向上するとともに、安価な空気調和機の室内機を提供する。【解決手段】この室内機本体に、幅方向の左右端部付近にそれぞれ設けられ化粧パネルをアーム部材により前後方向に動かす複数個の移動装置を備え、化粧パネルは、半透明の樹脂あるいは透明の樹脂を半透明塗装した部品で構成し、幅方向左右端部付近の裏面にそれぞれ密着して接合され高さ寸法が化粧パネルとほぼ同等か若干小さい複数個の縦長形状の固定具を介して移動装置に取り付けられ、固定具は、裏面側に移動装置のアーム部材先端部が接合されるアーム固定部を備え、前面側を化粧パネルの裏面に直接接合し、固定具の化粧パネル内側の端縁部は、断面形状が円弧状あるいは傾斜状に屈曲形成され、端縁部に向かうに従って化粧パネルの裏面から漸次離間するよう構成される。【選択図】  図５
2010048502.tif 000002
【特許請求の範囲】
【請求項１】
前面に形成する吸込み口を閉塞して室内機本体の外観の一部を構成し、空調運転中に前記吸込み口と間隙を存するよう前方へ突出する化粧パネルを備えた空気調和機の室内機において、
前記室内機本体に、幅方向の左右端部付近にそれぞれ設けられ前記化粧パネルをアーム部材により前後方向に動かす複数個の移動装置を備え、
前記化粧パネルは、半透明の樹脂あるいは透明の樹脂を半透明塗装した部品で構成し、幅方向左右端部付近の裏面にそれぞれ密着して接合され高さ寸法が前記化粧パネルとほぼ同等か若干小さい縦長形状を構成する複数個の固定具を介して前記移動装置に取り付けられ、
前記固定具は、裏面側に前記移動装置のアーム部材先端部が接合されるアーム固定部を備え、前面側を前記化粧パネルの裏面に直接接合し、固定具の化粧パネル内側の端縁部は、断面形状が円弧状あるいは傾斜状に屈曲形成され、端縁部に向かうに従って前記化粧パネルの裏面から漸次離間するよう構成されることを特徴とする空気調和機の室内機。
【発明の詳細な説明】
【技術分野】
【０００１】
本発明は空気調和機の室内機に係り、特に化粧パネルの取り付け構造を改良した空気調和機の室内機に関する。
【背景技術】
【０００２】
最近、本体内に配置した発光素子などの表示装置を発光時のみ化粧パネル面から透過して表示するようにするため、室内機の前面パネルを半透明にすることが行われている。
【０００３】
このような半透明の前面パネルは取り付け部を用いてユニット本体に取り付けられるが、前面パネルの透過性を高めると、この前面パネルの裏面に設ける取り付け部が視認され、意匠性が損なわれる。
【０００４】
そこで、取り付け部は、本体に取り付けられるために意匠パネルの裏側部に意匠パネルと一体として設け、意匠層を意匠パネルの裏側の面上に設け、さらに、この意匠層には、少なくとも色彩が付され、意匠パネルには、その表側の面のうち少なくとも取り付け部に対向する部分に、取り付け部を隠蔽するための隠蔽加工が施される（例えば、特許文献１参照）。
【０００５】
しかしながら、特許文献１に記載の室内機は、取り付け部を隠蔽するための隠蔽加工を施すため、製造工程が複雑になり、高価になる。
【特許文献１】特開２００５−９８６８２号公報
【発明の開示】
【発明が解決しようとする課題】
【０００６】
本発明は上述した事情を考慮してなされたもので、意匠性が向上するとともに、安価な空気調和機の室内機を提供することを目的とする。
【課題を解決するための手段】
【０００７】
上述した目的を達成するため、本発明に係る空気調和機の室内機は、前面に形成する吸込み口を閉塞して室内機本体の外観の一部を構成し、空調運転中に前記吸込み口と間隙を存するよう前方へ突出する化粧パネルを備えた空気調和機の室内機において、前記室内機本体に、幅方向の左右端部付近にそれぞれ設けられ前記化粧パネルをアーム部材により前後方向に動かす複数個の移動装置を備え、前記化粧パネルは、半透明の樹脂あるいは透明の樹脂を半透明塗装した部品で構成し、幅方向左右端部付近の裏面にそれぞれ密着して接合され高さ寸法が前記化粧パネルとほぼ同等か若干小さい縦長形状を構成する複数個の固定具を介して前記移動装置に取り付けられ、前記固定具は、裏面側に前記移動装置のアーム部材先端部が接合されるアーム固定部を備え、前面側を前記化粧パネルの裏面に直接接合し、固定具の化粧パネル内側の端縁部は、断面形状が円弧状あるいは傾斜状に屈曲形成され、端縁部に向かうに従って前記化粧パネルの裏面から漸次離間するよう構成されることを特徴とする。
【発明の効果】
【０００８】
本発明に係る空気調和機の室内機によれば、意匠性が向上するとともに、安価な空気調和機の室内機を提供することができる。
【発明を実施するための最良の形態】
【０００９】
本発明の一実施形態に係る空気調和機の室内機について添付図面を参照して説明する。
【００１０】
図１は本発明の一実施形態に係る空気調和機の室内機の斜視図であり、図２は本室内機の縦断面図であり、図３は本室内機の固定具近傍の斜視図である。
【００１１】
図１および図２に示すように、本実施形態の空気調和機の室内機１は筐体を構成する室内機本体２を備え、この室内機本体２は室内機１の外郭を構成する前面パネル３と部品を配置収納する後本体４とから構成される。
【００１２】
前面パネル３の前面には、前後方向に可動する可動パネルを形成する化粧パネル５が進退自在に設けられ、この化粧パネル５の背面側には前面吸込口６が開口される。前面パネル３の上面には、上面グリル７が嵌め込まれた上面吸込口８が開口される。前面パネル３の前面下部には、上下方向および左右方向への送風方向を調整するルーバー９を備えた吹出口１０が開口される。
【００１３】
また、室内機本体２内には、前面吸込口６および上面吸込口８と連通する送風路中に、フィルタ掃除ユニット１１で適宜掃除されるエアフィルタ１２、電気集塵器１３が配置され、この電気集塵器１３の風下には逆Ｖ字状に形成された室内熱交換器１４が配置される。
【００１４】
この室内熱交換器１４は、前面吸込口６と上面吸込口８から吸い込まれた被空調空気が通過する前側熱交換器１４ａと、主として上面吸込口８から吸い込まれた被空調空気が通過する後側熱交換器１４ｂから構成される。
【００１５】
さらに、室内熱交換器１４と吹出口１０間の送風路１５内には、室内熱交換器１４の下方に、モータ（図示せず）で駆動される室内送風機１６が配置される。
【００１６】
化粧パネル５は半透明材料の合成樹脂あるいは透明材料の合成樹脂を半透明に塗装加工した円弧状に湾曲された平板部材からなる。
【００１７】
従って、図１においては、例示的に化粧パネル５を透明にし、室内機本体２内部に配置されている部品、例えば電気集塵器１３を視認できるようにしているが、実際には化粧パネル５を介して室内機本体２内部を視認することはできない。
【００１８】
図２〜図４に示すように、化粧パネル５にはこの化粧パネル５を進退移動させるほぼ同一の構造をなす右側移動機構２２と左側移動機構２３の左右一対からなる移動装置が取り付けられる。なお、図３に右側移動機構２２、図２に左側移動機構２３が示されている。
【００１９】
この移動装置は、図１に示す室内機本体２の正面から見て、図示されていないが、前面の右側端部付近に右側移動機構２２が、左側端部付近に左側移動機構２３がそれぞれ設置され、右側移動機構２２と左側移動機構２３は連動して操作される構成となっている。
【００２０】
また、図２〜図３に示すように、右側移動機構２２、左側移動機構２３は、それぞれ右側駆動移動機構２２ａ、左側駆動移動機構２３ａと右側従動移動機構２２ｂ、左側従動移動機構２３ｂを備え、両駆動移動機構２２ａ、２３ａは、モータ（図示せず）によって折曲される略ヘの字形状のアーム部材で構成し、このアーム部材が折曲されることで前後方向の伸縮が行われる構成となっている。
【００２１】
一方、両従動移動機構２２ｂ、２３ｂはスプリング（図示せず）によって保持され上記両駆動移動機構２２ａ、２３ａと連動して折曲される略ヘの字形状のアーム部材で構成し、このアーム部材が折曲されることで前後方向の伸縮が行われる構成となっている。
【００２２】
従って、右側移動機構２２、左側移動機構２３は、両駆動移動機構２２ａ、２３ａと両従動移動機構２２ｂ、２３ｂのアーム部材の折曲により、前後方向の伸縮が行われる。
【００２３】
右側移動機構２２の先端部には、化粧パネル５の前面側から見て右側の側部裏面に接合する右側固定具２４が取り付けられ、左側移動機構２３の先端部には化粧パネル５の前面側から見て左側の側部裏面に接合される左側固定具２５が取り付けられる。
【００２４】
右側固定具２４、左側固定具２５は、樹脂を成型して形成されており、化粧パネル５の幅方向左右端部付近の裏面にそれぞれ密着して接合され高さ寸法が化粧パネル５とほぼ同等か若干小さい縦長形状を構成し、前面側は化粧パネル５の裏面形状とほぼ同一の平面形状をなし、背面側には、移動装置のアーム部材先端部が接合されるアーム固定部２４ａ、２５ａを備え右側固定具２４、左側固定具２５の対向する内側の各端縁部２４ｅ、２５ｅは、断面形状が円弧状あるいは傾斜状に屈曲形成され、各端縁部２４ｅ、２５ｅに向かうに従って前記化粧パネル５の裏面から漸次離間するよう構成されている。
【００２５】
化粧パネル５には、右側固定具２４、左側固定具２５が、予め裏面に直接接合した構成となっている。なお、この接合は、接着材を介して接合させるか、双方に形成させた係合手段を使用して接合させるか、あるいはねじなどの係合手段を使用して行う。
【００２６】
化粧パネル５と右側移動機構２２、左側移動機構２３との取り付けは、右側固定具２４、左側固定具２５の裏面にそれぞれ立設された各アーム固定部２４ａ、２５ａを、この各アーム固定部２４ａ、２５ａの凹部に嵌め合わさる形状をなした各アーム部材の先端に形成する縦長形状の右側移動機構固定部材２２ｃ、左側移動機構固定部材２３ｃに嵌合して係止する。
【００２７】
図４は、化粧パネル５の背面側からみた図で、化粧パネル５の裏面に右側固定具２４、左側固定具２５が接合された状態を示す。図５は、図４のＡ-Ａ線部分の左側固定具２５の接合状態を示す。
【００２８】
なお、右側固定具２４の接合状態および端縁部形状も左側固定具２５の端縁部形状と同様であるので、左側固定具２５を例にとり説明する。
【００２９】
図５に示すように、左側固定具２５の端縁部２５ｅは、円弧状に形成され、化粧パネル５を左側固定具２５に取り付けた状態では、化粧パネル５の裏面から漸次離れる形状をなす。
【００３０】
なお、端縁部２５ｅを円弧状に形成することに替えて、図６に示すように、左側固定具２５の端縁部２５ｆを傾斜状に形成することで、化粧パネル５の裏面から漸次離れるようにしてもよい。
【００３１】
左側固定具２５の端縁部２５ｅは、円弧状に形成され、化粧パネル５が左側固定具２５に取り付けられた状態で、化粧パネル５の裏面から漸次離れる形状をなすので、化粧パネル５を介して端縁部２５ｅに対向する位置ｐに陰影は視認されず、意匠性が向上する。
【００３２】
なお、端縁部２５ｅを円弧状に形成しない場合には、端縁部２５ｅに対向する位置に黒い陰影が視認される。
【００３３】
また、両側固定具２４、２５の端縁部２４ｅ、２５ｅを単に円弧状に形成することで、従来とは異なり、隠蔽加工を施す必要がなく、安価になる。
【００３４】
図３中符号２６は右側固定具２４に取り付け孔を設けて取り付けた表示装置であり、表示内容が半透明の化粧パネル５（図１）を通して視認される。
【００３５】
本実施形態の空気調和機の室内機によれば、意匠性が向上するとともに、安価な空気調和機の室内機が実現される。
【図面の簡単な説明】
【００３６】
【図１】本発明の一実施形態に係る空気調和機の室内機の外観を示す斜視図。
【図２】本発明の一実施形態に係る空気調和機の室内機の内部構成を示す縦断面図。
【図３】本発明の一実施形態に係る空気調和機の室内機の一方の固定具周辺部の斜視図。
【図４】本発明の一実施形態に係る空気調和機の室内機に用いる化粧パネルと固定具との取付状態を示す化粧パネルの背面側からみた概念図。
【図５】本発明の一実施形態に係る空気調和機の室内機に用いる化粧パネルと一方の固定具との取付状態を示す図４におけるＡ−Ａ部分の断面図。
【図６】本発明の他の実施形態に係る空気調和機の室内機に用いる化粧パネルと一方の固定具との取付状態を示す図４におけるＡ−Ａ部分の断面図。
【符号の説明】
【００３７】
１  室内機
２  室内機本体
３  前面パネル
４  後本体
５  化粧パネル
６  前面吸込口
７  上面グリル
８  上面吸込口
９  ルーバー
１０  吹出口
１１  フィルタ掃除ユニット
１２  エアフィルタ
１３  電気集塵器
１４  室内熱交換器
１４ａ  前側熱交換器
１４ｂ  後側熱交換器
１５  送風路
１６  室内送風機
２２  右側移動機構
２２ａ  右側駆動移動機構
２２ｂ  右側従動移動機構
２２ｃ  右側移動機構固定部材
２３  左側移動機構
２３ａ  左側駆動移動機構
２３ｂ  左側従動移動機構
２３ｃ  左側移動機構固定部材
２４  右側固定具
２４ａ  アーム固定部
２４ｅ  端縁部
２５  左側固定具
２５ａ  アーム固定部
２５ｅ  端縁部
２５ｆ  端縁部
２６  表示装置
【図１】
2010048502.tif 000003
【図２】
2010048502.tif 000004
【図３】
2010048502.tif 000005
【図４】
2010048502.tif 000006
【図５】
2010048502.tif 000007
【図６】
2010048502.tif 000008